(57)【要約】  本発明は、第１の筐体と、第１の筐体の後縁にヒンジ接続され第１の筐体に対し開閉する第２の筐体とを備えた電子機器、および第１の筐体と第２の筐体とを開閉自在に締結するヒンジ部材に関し、設計の自由度の広い電子機器、およびこのような電子機器を実現するヒンジ部材を提供することを目的とし、第１の筐体１１１の後縁にヒンジ接続され第１の筐体１１１に対し開閉する第２の筐体１２１が、この第２の筐体１２１の下縁端部に隣接した側面内側に沿って延在するヒンジ部材２００に備えられた係止片２０３がその側面内側に係止部２０３ａと係合することによりその係止片２０３を支持する支持爪１２１ａを備えている。
2008114400.tif 000002
【特許請求の範囲】
【請求項１】
第１の筐体と、該第１の筐体の後縁にヒンジ接続され該第１の筐体に対し開閉する第２の筐体とを備えた電子機器において、
前記第２の筐体内部の、開状態における下縁端部に配置された軸と、
前記第１の筐体内部の、前記第２の筐体の前記下縁端部に近接した後縁端に配置された、前記軸に対しフリクションを伴って自在に回動する回動片と、
前記第２の筐体の前記下縁端部に隣接した側面内側に沿って前記軸から延在し、該第２の筐体側面内側に係止された係止部を有する係止片とを備えたヒンジ部材を備え、
前記第２の筐体が、前記係止片が延在する側面内側に前記係止部と係合することにより該係止片を支持する支持部を備えたことを特徴とする電子機器。
【請求項２】
前記支持部は、前記係止片の係止部を着脱自在に支持するものであることを特徴とする請求項１記載の電子機器。
【請求項３】
前記支持部は、前記側面内側に凸設された支持爪であって、前記係止片を該支持爪で係止するものであることを特徴とする請求項１記載の電子機器。
【請求項４】
前記係止部が、凸設された支持爪の下面に接して該支持爪に係止される凹形状に形成されるとともに、該支持爪の天面と、前記係止片の、該係止部を除く部分の天面との双方が前記第２の筐体内壁面に接する同一高さの天面を形成していることを特徴とする請求項３記載の電子機器。
【請求項５】
前記第１の筐体は、複数の操作キーが配列されたキーボードが配備されたものであって、
前記第２の筐体は、画像を表示する表示画面が配備されたものであることを特徴とする請求項１記載の電子機器。
【請求項６】
第１の筐体と第２の筐体とを開閉自在に締結するヒンジ部材であって、
前記第１の筐体と前記第２の筐体のうちの一方の筐体内部に配置される軸と、前記第１の筐体と前記第２の筐体のうちの他方の筐体内部に配置され該軸に対しフリクションを伴って自在に回動する回動片と、前記軸から、前記回動片の回動中心軸とは直角な方向に延在して前記一方の筐体の内側に係止される係止片とを備えたことを特徴とするヒンジ部材。
【請求項７】
前記一方の筐体が、側面内側に、前記係止片を支持する支持部を備え、
前記係止片が、前記一方の筐体の、前記支持部が備えられた側面内側に沿って延在し、該支持部に係合する係止部を有するものであることを特徴とする請求項６記載のヒンジ部材。
【請求項８】
前記係止部は、前記支持部に着脱自在に支持されるものであることを特徴とする請求項７記載のヒンジ部材。
【請求項９】
前記支持部は、前記側面内側に凸設された支持爪であって、前記係止部は、該支持爪で係止されるものであることを特徴とする請求項７記載のヒンジ部材。
【請求項１０】
前記係止部が、凸設された支持爪の下面に接して該支持爪に係止される凹形状に形成されるとともに、該支持爪の天面と、前記係止片の、該係止部を除く部分の天面との双方が前記一方の筐体内壁面に接する同一高さの天面を形成していることを特徴とする請求項９記載のヒンジ部材。
【発明の詳細な説明】
【技術分野】
【０００１】
本発明は、第１の筐体と、第１の筐体の後縁にヒンジ接続され第１の筐体に対し開閉する第２の筐体とを備えた電子機器、および第１の筐体と第２の筐体とを開閉自在に締結するヒンジ部材に関する。
【背景技術】
【０００２】
従来より、様々なタイプの電子機器が開発され広く普及している。ここでは、その中で、情報演算機能を備えたパーソナルコンピュータ（以下、このパーソナルコンピュータをパソコンと略記する）を例に挙げて説明する。【０００３】
パソコンには、演算処理を行うＣＰＵや電子回路が搭載された回路基板や情報を記憶しておくハードディスク等を内蔵する本体装置、画像を表示する表示画面を有する画像表示装置、およびキー操作を行うためのキーボードなどがそれぞれ別々の筐体として構成された据置きタイプのパソコンのほか、表示画面を有する画像表示ユニットと、演算処理を行うＣＰＵや電子回路が搭載された回路基板や情報を記憶しておくハードディスク等を内蔵するとともに上面に複数の操作キーが配列されてキーボードとしての役割りも成す本体ユニットとが、開閉自在に締結するヒンジ部材を介して連結された可搬タイプのノート型パソコンと称されるパソコンも広く普及している（例えば、特許文献１参照。）。【０００４】
このノート型パソコンは、ヒンジ部材を介して、画像表示ユニットと本体ユニットとを２つ折りにして重ねた状態とすることができ、持ち運ぶのに便利であるとともに、画像表示ユニットを本体ユニットに対して開くことによりキー操作によるノート型パソコンへの指示入力を行うことができ、良好な操作性も兼ね備えている。
【特許文献１】登録実用新案第３０９１１０５号公報
【発明の開示】
【０００５】
ここで、ノート型パソコンは、携帯に便利な形状を有し、主に携帯使用が前提の電子機器であるため、様々な部品を筐体内部の限られたスペースに効率よく配置する必要がある。
【０００６】
ところが、ノート型パソコンにおけるヒンジ部材は、一般に、ネジによって筐体に固定されている。そのため、ヒンジ部材のネジ止めのためのスペースによって、このノート型パソコンに配備される他の部品の配置位置に制約が生じ、設計の自由度が制限されるという問題がある。
【０００７】
本発明は、上記事情に鑑み、設計の自由度の広い電子機器、およびこのような電子機器を実現するヒンジ部材を提供することを目的とするものである。
【０００８】
上記目的を達成する本発明の電子機器は、
第１の筐体と、この第１の筐体の後縁にヒンジ接続されこの第１の筐体に対し開閉する第２の筐体とを備えた電子機器において、
上記第２の筐体内部の、開状態における下縁端部に配置された軸と、
上記第１の筐体内部の、上記第２の筐体の上記下縁端部に近接した後縁端に配置された、上記軸に対しフリクションを伴って自在に回動する回動片と、
上記第２の筐体の上記下縁端部に隣接した側面内側に沿って前記軸から延在し、この第２の筐体側面内側に係止された係止部を有する係止片とを備えたヒンジ部材を備え、
上記第２の筐体が、上記係止片が延在する側面内側に上記係止部と係合することによりその係止片を支持する支持部を備えたことを特徴とする。
【０００９】
本発明の電子機器は、第１の筐体の後縁にヒンジ接続されこの第１の筐体に対し開閉する第２の筐体が、この第２の筐体の下縁端部に隣接した側面内側に沿って延在するヒンジ部材に備えられた係止片がその側面内側に係止部と係合することによりその係止片を支持する支持部を備えたものである。従って、本発明の電子機器によれば、上記ヒンジ部材の係止片をネジ止めによって固定する必要がないため、ネジ止めのためのスペースが不要であり、部品点数が削減されるとともに、上記第２の筐体内に配備される他の部品の配置位置の自由度が広がることにより設計の自由度が広がる。
【００１０】
ここで、上記本発明の電子機器において、上記支持部は、上記係止片の係止部を着脱自在に支持するものであることが好ましい。
【００１１】
ここで、上記係止片を支持する部分には、上記第１の筐体に対し上記第２の筐体を開閉する際に大きな応力が作用することとなるため、上記ヒンジ部材が損傷を受けるおそれがある。ところが、このような好ましい形態によれば、ネジを緩めたり締め付けたりといった煩雑な作業を行うことなく上記ヒンジ部材を交換することができるため、組み立て作業性に優れる。
【００１２】
また、上記本発明の電子機器において、上記支持部は、上記側面内側に凸設された支持爪であって、上記係止片をその支持爪で係止するものであることも好ましい形態である。
【００１３】
このような好ましい形態によれば、上記ヒンジ部材の取り付けや取り外しが容易であるため、より一層組み立て作業性に優れる。
【００１４】
また、上記本発明の電子機器は、上記係止部が、凸設された支持爪の下面に接してその支持爪に係止される凹形状に形成されるとともに、その支持爪の天面と、上記係止片の、その係止部を除く部分の天面との双方が上記第２の筐体内壁面に接する同一高さの天面を形成していることがさらに好ましい。
【００１５】
このような好ましい形態によれば、上記第１の筐体に対し上記第２の筐体を開閉する際の、上記支持爪にかかる負荷が、その第２の筐体内壁面に拡散することとなるため好適である。
【００１６】
さらに、上記本発明の電子機器において、上記第１の筐体は、複数の操作キーが配列されたキーボードが配備されたものであって、上記第２の筐体は、画像を表示する表示画面が配備されたものであることが好ましい。
【００１７】
このように、キーボードが配備された第１の筐体に対し、表示画面が配備された第２の筐体が開閉自在な、例えばノート型パソコン等の電子機器は、携帯に便利な形状を有し、主に携帯使用が前提の電子機器である。従って、本発明の電子機器がこのような好ましい形態の電子機器であれば、筐体内部の限られたスペースを有効に使うことができるため好ましい。
【００１８】
また、上記目的を達成する本発明のヒンジ部材は、
第１の筐体と第２の筐体とを開閉自在に締結するヒンジ部材であって、
上記第１の筐体と上記第２の筐体のうちの一方の筐体内部に配置される軸と、上記第１の筐体と上記第２の筐体のうちの他方の筐体内部に配置されその軸に対しフリクションを伴って自在に回動する回動片と、上記軸から、上記回動片の回動中心軸とは直角な方向に延在して上記一方の筐体の内側に係止される係止片とを備えたことを特徴とする。
【００１９】
本発明のヒンジ部材は、上記軸から、この軸に対しフリクションを伴って自在に回動する回動片の回動中心軸とは直角な方向に延在して上記一方の筐体の内側に係止される係止片を備えたものである。従って、本発明のヒンジ部材によれば、上記一方の筐体の側面内側に沿って上記係止片を配置させて係止することができるため、その一方の筐体内に配備される他の部品の配置位置の自由度が広がり、設計の自由度が広がる。
【００２０】
ここで、上記本発明のヒンジ部材は、上記一方の筐体が、側面内側に、上記係止片を支持する支持部を備え、上記係止片が、上記一方の筐体の、上記支持部が備えられた側面内側に沿って延在し、その支持部に係合する係止部を有するものであることが好ましい。
【００２１】
このような好ましい形態によれば、上記係止片をネジ止めによって固定する必要がないため、ネジ止めのためのスペースが不要であり、部品点数が削減される。
【００２２】
また、上記本発明のヒンジ部材において、上記係止部は、上記支持部に着脱自在に支持されるものであることが好ましい。
【００２３】
このような好ましい形態によれば、ネジを緩めたり締め付けたりといった煩雑な作業を行うことなく本発明のヒンジ部材を交換することができるため、組み立て作業性に優れる。
【００２４】
また、上記本発明のヒンジ部材において、上記支持部は、上記側面内側に凸設された支持爪であって、上記係止部は、その支持爪で係止されるものであることも好ましい形態である。
【００２５】
このような好ましい形態によれば、本発明のヒンジ部材の取り付けや取り外しが容易であるため、より一層組み立て作業性に優れる。
【００２６】
さらに、上記本発明のヒンジ部材において、上記係止部が、凸設された支持爪の下面に接してその支持爪に係止される凹形状に形成されるとともに、その支持爪の天面と、上記係止片の、その係止部を除く部分の天面との双方が上記一方の筐体内壁面に接する同一高さの天面を形成していることがさらに好ましい。
【００２７】
このような好ましい形態によれば、上記第１の筐体と上記第２の筐体とを開閉する際の、上記支持爪にかかる負荷が、上記一方の筐体内壁面に拡散することとなるため好適である。
【００２８】
本発明によれば、設計の自由度の広い電子機器、およびこのような電子機器を実現するヒンジ部材が提供される。
【図面の簡単な説明】
【００２９】
【図１】本発明の電子機器の一実施形態であるノート型パソコンの画像表示ユニットと本体ユニットとを２つ折りにして重ねた状態を前面斜め上から見た外観斜視図である。
【図２】図１に示すノート型パソコンの画像表示ユニットを本体ユニットに対して開いた状態を前面斜め上から見た外観斜視図である。
【図３】図１，図２に示すノート型パソコンにおける、第１の筐体の後縁に第２の筐体がヒンジ接続された部分の拡大図である。
【図４】図１，図２に示すノート型パソコンにおける、画像表示ユニットの第２の筐体の内部を示す内部構成図である。
【図５】図４に示すＢ部の拡大斜視図である。
【図６】図４に示すＣ部の拡大斜視図である。
【図７】図６に示すヒンジ部材の一部分を取り外した状態の斜視図である。
【発明を実施するための最良の形態】
【００３０】
以下、図面を参照して本発明の実施の形態を説明する。【００３１】
ここでは、本発明の電子機器が、表示画面を有する画像表示ユニットと、演算処理を行うＣＰＵや電子回路が搭載された回路基板や情報を記憶しておくハードディスク等を内蔵するとともに上面に複数の操作キーが配列されてキーボードとしての役割りも成す本体ユニットとが、開閉自在に締結するヒンジ部材を介して連結された可搬タイプのノート型パーソナルコンピュータ（以下、このパーソナルコンピュータをノート型パソコンと略記する）である例を挙げて説明する。【００３２】
図１は、本発明の電子機器の一実施形態であるノート型パソコン１００の画像表示ユニット１２０と本体ユニット１１０とを２つ折りにして重ねた状態を前面斜め上から見た外観斜視図である。また、図２は、図１に示すノート型パソコン１００の画像表示ユニット１２０を本体ユニット１１０に対して開いた状態を前面斜め上から見た外観斜視図である。【００３３】
図１，図２に示すノート型パソコン１００は、第１の筐体１１１を有する本体ユニット１１０と、第１の筐体１１１の後縁にヒンジ接続され第１の筐体１１１に対し矢印Ａ−Ａ方向に開閉する第２の筐体１２１を有する画像表示ユニット１２０とを備えている。この第１の筐体１１１は、本発明の電子機器における第１の筐体の一例に相当し、本発明のヒンジ部材における他方の筐体の一例に相当する。また、この第２の筐体１２１は、本発明の電子機器における第２の筐体の一例に相当し、本発明のヒンジ部材における一方の筐体の一例に相当する。図１には、画像表示ユニット１２０が本体ユニット１１０に対し閉じた状態にあるノート型パソコン１００が示されており、図２には、画像表示ユニット１２０が本体ユニット１１０に対し開いた状態にあるノート型パソコン１００が示されている。【００３４】
図２に示すように、ノート型パソコン１００の本体ユニット１１０には、この本体ユニット１１０の第１の筐体１１１の上面に、複数の操作キーが配列されたキーボード１１２、トラックパッド１１３、左クリックボタン１１４、右クリックボタン１１５、および、画像表示ユニット１２０を閉じたときにその画像表示ユニット１２０を係止する係止ユニット１１６が備えられている。【００３５】
また、図２に示すように、ノート型パソコン１００の画像表示ユニット１２０は、この画像表示ユニット１２０の第２の筐体１２１の前面に、画像を表示する表示画面１２２が広がっており、さらにその表示画面１２２よりも上には、この画像表示ユニット１２０を閉じたときに本体ユニット１１０の係止ユニット１１６に係止する留め具ユニット１２３が備えられている。【００３６】
ここで、この図１，図２に示すノート型パソコン１００における、本発明の一実施形態としての特徴は、第１の筐体１１１と第２の筐体１２１とを開閉自在に締結するヒンジ部材にあり、以下、このヒンジ部材について詳述する。【００３７】
図３は、図１，図２に示すノート型パソコン１００における、第１の筐体１１１の後縁に第２の筐体１２１がヒンジ接続された部分の拡大図である。また、図４は、図１，図２に示すノート型パソコン１００における、画像表示ユニット１２０の第２の筐体１２１の内部を示す内部構成図である。また、図５は、図４に示すＢ部の拡大斜視図であり、図６は、図４に示すＣ部の拡大斜視図であり、図７は図６に示すヒンジ部材２００の一部分を取り外した状態の斜視図である。【００３８】
図３〜図６に示すように、第１の筐体１１１と第２の筐体１２１は、これら第１の筐体１１１と第２の筐体１２１とを開閉自在に締結するヒンジ部材２００によってヒンジ接続されている。このヒンジ部材２００は、軸２０１と、回動片２０２と、係止片２０３とから構成されている。このヒンジ部材２００は、本発明のヒンジ部材の一例に相当する。【００３９】
ヒンジ部材２００の軸２０１は、第２の筐体１２１の内部の、開状態における下縁端部に締結されている。この軸２０１は、本発明にいう軸の一例に相当する。【００４０】
ヒンジ部材２００の回動片２０２は、第１の筐体１１１の内部の、第２の筐体１２１の下縁端部に近接した後縁端に締結されている。また、この回動片２０２は、軸２０１に対しフリクションを伴って自在に回動する。この回動片２０２は、本発明にいう回動片の一例に相当する。【００４１】
ヒンジ部材２００の係止片２０３は、回動片２０２の回動中心軸とは直角な方向に延在していることによって、軸２０１と一体的に、第２の筐体１２１の下縁端部に隣接した側面内側に沿って延在している。また、この係止片２０３は、第２の筐体１２１の側面内側に係止された２つの係止部２０３ａを有する。この係止片２０３は、本発明にいう係止片の一例に相当する。【００４２】
また、第２の筐体１２１が、係止片２０３が延在する側面内側に凸設され、係止部２０３ａと係合することによりその係止片２０３を支持する２つの支持爪１２１ａを備えている。この支持爪１２１ａは、本発明にいう支持爪の一例に相当するものであって、図６，図７に示すように、係止片２０３の係止部２０３ａを着脱自在に支持するものである。【００４３】
また、係止部２０３ａが、凸設された支持爪１２１ａの下面に接してその支持爪１２１ａに係止される凹形状に形成されるとともに、その支持爪１２１ａの天面と、係止片２０３の、その係止部２０３ａを除く部分の天面との双方が、第２の筐体１２１の内壁面に接する同一高さの天面を形成している。そのため、第１の筐体１１１に対し第２の筐体１２１を開閉する際の、支持爪１２１ａにかかる負荷が、その第２の筐体１２１の内壁面に拡散する。【００４４】
尚、ここでは、第２の筐体１２１が第１の筐体１１１に対し開状態における右側のヒンジ部材２００を例に挙げて説明したが、その開状態における左側にも、上述したヒンジ部材２００と同様のヒンジ部材が設けられている。【００４５】
以上説明したように、本実施形態のノート型パソコン１００によれば、このノート型パソコン１００に組み込まれるヒンジ部材２００の係止片２０３をネジ止めによって固定する必要がないため、ネジ止めのためのスペースが不要であり、部品点数が削減されるとともに、第２の筐体１２１の内部に配備される他の部品の配置位置の自由度が広がることにより設計の自由度が広がる。また、ネジを緩めたり締め付けたりといった煩雑な作業を行うことなくヒンジ部材２００の取り付けや取り外しが容易であるため、組み立て作業性に優れる。また、一般に、ノート型パソコンは、携帯に便利な形状を有し、主に携帯使用が前提の電子機器であるため、筐体内部のスペースが限られているが、本実施形態のノート型パソコン１００によれば、その限られたスペースを有効に使うことができる。【００４６】
尚、上述した実施形態では、本発明の電子機器が、ノート型パソコンである例について説明したが、本発明の電子機器は、これに限られるものではなく、第１の筐体と、第１の筐体の後縁にヒンジ接続され第１の筐体に対し開閉する第２の筐体とを備えたものであればよい。【００４７】
また、上述した実施形態では、本発明にいう支持部が、支持爪である例について説明したが、本発明の支持部は、これに限られるものではなく、本発明にいう係止片を支持するものであればよい。【００４８】
また、上述した実施形態では、本発明のヒンジ部材が、ノート型パソコンに組み込まれたヒンジ部材例について説明したが、本発明のヒンジ部材は、これに限られるものではなく、第１の筐体と第２の筐体とを開閉自在に締結するものであればよい。
【図１】
2008114400.tif 000003
【図２】
2008114400.tif 000004
【図３】
2008114400.tif 000005
【図４】
2008114400.tif 000006
【図５】
2008114400.tif 000007
【図６】
2008114400.tif 000008
【図７】
2008114400.tif 000009
【国際調査報告】
2008114400.tif 000010
2008114400.tif 000011